(57)【要約】【課題】秘話番号に基づいて音声信号を秘話化する音声通信機において、秘話番号を変更したい場合に、相手に対し安全に、変更後の秘話番号を実質的に知らせることが可能な構成を提供する。【解決手段】ＤＳＢ送受信機１は、送信部２０と、受信部２１と、秘話音声処理部３１と、秘話番号名称記憶部３２と、操作部１２と、制御部１９と、を備える。秘話音声処理部３１は、設定された秘話番号に基づいて音声信号を処理することで、秘話音声信号を作成したり、秘話音声信号を元に復元したりすることができる。秘話番号名称記憶部３２は、秘話番号と、当該秘話番号を一意に識別するために付与されるニックネームと、を関連づけて複数組記憶可能である。制御部１９は、操作部１２の操作によってニックネームが指定されると、秘話番号名称記憶部３２を参照することによって当該ニックネームに対応する秘話番号を取得し、秘話音声処理部３１に設定する。【選択図】図２
2010141796.tif 000002
【特許請求の範囲】
【請求項１】
音声信号を無線により他の無線機器へ送信可能な送信部と、
音声信号を前記送信部で送信する前に、設定された秘話番号に基づいて音声信号を処理することで秘話音声信号を作成する秘話音声処理部と、
前記秘話番号と、当該秘話番号に対応して付与される名称と、を関連づけて複数組記憶可能な記憶部と、
前記名称を指定する操作が可能な操作部と、
前記操作部の操作によって前記名称が指定されると、前記記憶部を参照することによって当該名称に対応する秘話番号を取得し、得られた秘話番号を前記秘話音声処理部に設定する制御部と、
を備えることを特徴とする音声通信機。
【請求項２】
他の無線機器から無線により音声信号を受信可能な受信部と、
他の無線機器から送信されて前記受信部が受信した秘話音声信号を、設定された秘話番号に基づいて処理することで元の音声信号に復元する秘話音声処理部と、
前記秘話番号と、当該秘話番号に対応して付与される名称と、の組をそれぞれ関連づけて複数記憶可能な記憶部と、
前記名称を指定する操作が可能な操作部と、
前記操作部の操作によって前記名称が指定されると、前記記憶部を参照することによって当該名称に対応する秘話番号を取得し、得られた秘話番号を前記秘話音声処理部に設定する制御部と、
を備えることを特徴とする音声通信機。
【請求項３】
請求項１又は２に記載の音声通信機であって、
各種の情報を表示可能な表示部を備えるとともに、
前記操作部によって前記名称が指定されるときに、当該名称に対応する秘話番号が表示されないように構成されていることを特徴とする音声通信機。
【請求項４】
請求項１から３までの何れか一項に記載の音声通信機であって、
符号化されたデジタルデータを他の無線機器と通信可能なデータ送受信部を備え、
前記制御部は、前記データ送受信部が前記名称を受信すると、前記記憶部を参照することによって当該名称に対応する秘話番号を取得し、得られた秘話番号を前記秘話音声処理部に自動設定することを特徴とする音声通信機。
【請求項５】
請求項４に記載の音声通信機であって、
複数の音声通信機が構成するグループのうち自機が所属するグループに関するグループ識別情報を記憶可能に構成されるとともに、
同一のグループ識別情報を有する音声通信機の全てに宛ててデジタルデータを一斉に送信するグループ一斉送信機能を有しており、
前記名称は、前記グループ一斉送信機能を使用して他の音声通信機に送信されることを特徴とする音声通信機。
【請求項６】
請求項４又は５に記載の音声通信機であって、
所定の条件が満たされることにより、現在設定されている名称とは異なる名称を選択して他の音声通信機に自動的に送信するように構成されていることを特徴とする音声通信機。
【請求項７】
請求項４から６までの何れか一項に記載の音声通信機であって、
各種の情報を表示可能な表示部を備えるとともに、
前記データ送受信部によって他の無線機器とやり取りされたテキストデータから一部のテキストを取り出し、このテキストを、前記秘話番号に付与される名称の候補として前記表示部に表示し、この候補の中から選択された名称を前記記憶部に記憶可能に構成されていることを特徴とする音声通信機。
【発明の詳細な説明】
【技術分野】
【０００１】
本発明は、いわゆる秘話機能を備えた音声通信機の構成に関する。
【背景技術】
【０００２】
従来から、例えば船舶に用いられる音声通信機として、ＤＳＢ送信機が広く知られている。このＤＳＢ送信機は、信号によって搬送波の振幅を変化させたＡＭ波をつくるＡＭ送信機の一種である。この種のＤＳＢ送信機としては、例えば非特許文献１に開示されるものがある。
【非特許文献１】提坂秀樹、大庭英雄共著，「テキストブック  無線通信機器」，第１１版，株式会社日本理工出版会，２００４年６月，ｐ．１１３−１２２
【０００３】
ところで、上記のＤＳＢ送信機を例えば漁船に搭載した場合、船団を構成する船の間の連絡が他の船団等に傍受されるのを防止するために、いわゆる秘話装置（変調信号処理装置）が使用されることがある。このうち時分割方式の秘話装置は、元の音声信号を複数に時分割するとともに、この分割された信号断片の時間的順序を並べ替えることで、秘話化された音声信号（秘話音声信号）を生成することができる。この並べ替える順番を指定するのが秘話番号であり、送信側と受信側で同じ秘話番号を使用すると、受信側の秘話装置で秘話音声信号を元の音声信号に復元することができる。この秘話番号の指定は、秘話装置に備えられるツマミ（ダイアル）を回すことで行うようになっている。
【発明の開示】
【発明が解決しようとする課題】
【０００４】
しかし、従来の秘話装置の構成では、秘話番号を変更する必要が生じた場合に、他の漁船に傍受されないように変更後の秘話番号を相手船に安全に知らせる手段がなく、対応に苦慮することがあった。
【０００５】
また、上記の秘話装置は、ツマミの位置が秘話番号をそのまま指示しているため、外部の者に盗み見られて秘話番号が漏洩するおそれがあり、情報セキュリティの更なる向上の観点から改善の余地が残されていた。
【０００６】
本発明は以上の事情に鑑みてされたものであり、その目的は、秘話番号に基づいて音声信号を秘話化する音声通信機において、秘話番号を変更したい場合に、相手に対し安全に、変更後の秘話番号を実質的に知らせることが可能な構成を提供することにある。
【課題を解決するための手段及び効果】
【０００７】
本発明の解決しようとする課題は以上の如くであり、次にこの課題を解決するための手段とその効果を説明する。
【０００８】
本発明の第１の観点によれば、以下の構成の音声通信機が提供される。即ち、この音声通信機は、送信部と、秘話音声処理部と、記憶部と、操作部と、制御部と、を備える。前記送信部は、音声信号を無線により他の無線機器へ送信可能である。前記秘話音声処理部は、音声信号を前記送信部で送信する前に、設定された秘話番号に基づいて音声信号を処理することで秘話音声信号を作成する。前記記憶部は、前記秘話番号と、当該秘話番号に対応して付与される名称と、を関連づけて複数組記憶可能である。前記操作部は、前記名称を指定する操作が可能である。前記制御部は、前記操作部の操作によって前記名称が指定されると、前記記憶部を参照することによって当該名称に対応する秘話番号を取得し、得られた秘話番号を前記秘話音声処理部に設定する。
【０００９】
本発明の第２の観点によれば、以下の構成の音声通信機が提供される。即ち、この音声通信機は、受信部と、秘話音声処理部と、記憶部と、操作部と、制御部と、を備える。前記受信部は、他の無線機器から無線により音声信号を受信可能である。前記秘話音声処理部は、他の無線機器から送信されて前記受信部が受信した秘話音声信号を、設定された秘話番号に基づいて処理することで元の音声信号に復元する。前記記憶部は、前記秘話番号と、当該秘話番号に対応して付与される名称と、の組をそれぞれ関連づけて複数記憶可能である。前記操作部は、前記名称を指定する操作が可能である。前記制御部は、前記操作部の操作によって前記名称が指定されると、前記記憶部を参照することによって当該名称に対応する秘話番号を取得し、得られた秘話番号を前記秘話音声処理部に設定する。
【００１０】
以上の構成により、秘話番号そのものを周囲に連絡することなく、ニックネームのみのやり取りで、特定のグループ間での秘話通信に用いる秘話番号を容易に変更することができる。また、音声通信機において秘話番号にニックネームを関連づけていったん記憶させれば、その後は秘話番号を直接設定することなく、ニックネームを指示するだけで、対応する秘話番号を内部的に設定することができる。従って、秘話番号の管理及び入力の手間を軽減できるとともに、秘話番号そのものが外部の目に触れる機会を少なくでき、高度なセキュリティを実現することができる。
【００１１】
前記の音声通信機においては、以下の構成とすることが好ましい。即ち、この音声通信機は、各種の情報を表示可能な表示部を備える。そして音声通信機は、前記操作部によって前記名称が指定されるときに、当該名称に対応する秘話番号が表示されないように構成されている。
【００１２】
この構成により、ニックネームを指定するときに秘話番号が外部の目に触れないので、一層高度なセキュリティを実現することができる。
【００１３】
前記の音声通信機においては、以下の構成とすることが好ましい。即ち、この音声通信機は、符号化されたデジタルデータを他の無線機器と通信可能なデータ送受信部を備える。前記制御部は、前記データ送受信部が前記名称を受信すると、前記記憶部を参照することによって当該名称に対応する秘話番号を取得し、得られた秘話番号を前記秘話音声処理部に自動設定する。
【００１４】
この構成により、連絡された名称に対応する秘話番号への変更が自動的に行われるので、名称の設定の手間を著しく軽減することができる。
【００１５】
前記の音声通信機においては、以下の構成とすることが好ましい。即ち、この音声通信機は、複数の音声通信機が構成するグループのうち自機が所属するグループに関するグループ識別情報を記憶可能に構成される。また、データ送受信部は、同一のグループ識別情報を有する音声通信機の全てに宛ててデジタルデータを一斉に送信するグループ一斉送信機能を有している。前記名称は、前記グループ一斉送信機能を使用して他の音声通信機に送信される。
【００１６】
この構成により、同じグループに属する音声通信機にのみ、ニックネームを合理的に送信することができる。
【００１７】
前記の音声通信機においては、所定の条件が満たされることにより、現在設定されている名称とは異なる名称を選択して他の音声通信機に自動的に送信するように構成されていることが好ましい。
【００１８】
この構成により、秘話番号が自動的に随時変更されることになるため、セキュリティの著しい向上を実現できる。
【００１９】
前記の音声通信機においては、以下の構成とすることが好ましい。即ち、この音声通信機は、各種の情報を表示可能な表示部を備える。また、音声通信機は、前記データ送受信部によって他の無線機器とやり取りされたテキストデータから一部のテキストを取り出し、このテキストを、前記秘話番号に付与される名称の候補として前記表示部に表示する。そして、音声通信機は、この候補の中から選択された名称を前記記憶部に記憶可能に構成されている。
【００２０】
この構成により、多様なニックネーム候補を生成することができる。また、例えばテキストメッセージ等として実際にやり取りされたデータからテキストを取り出すので、難解な名称の候補が得られるおそれを少なくでき、使い易いニックネーム候補を得ることができる。
【発明を実施するための最良の形態】
【００２１】
次に、発明の実施の形態を説明する。図１は、本発明の一実施形態に係るＤＳＢ送受信機１の全体的な構成を示した斜視図である。図２は、ＤＳＢ送受信機１の機能ブロック図である。図３は、秘話番号名称記憶部３２に記憶される内容を概念的に示す図である。
【００２２】
図１に示す本実施形態のＤＳＢ送受信機（音声通信機）１は、両側波帯（Ｄｏｕｂｌｅ  Ｓｉｄｅ  Ｂａｎｄ、ＤＳＢ）と呼ばれる振幅変調波を用いて、音声及びデジタルデータを送受信することができる。このＤＳＢ送受信機１は船舶用とされており、本実施形態では漁船に搭載されている。このＤＳＢ送受信機１は、漁船が例えば船団を組んで操業する場合に、仲間船と相互に連絡をとり合うために用いられる。
【００２３】
ＤＳＢ送受信機１は、図２に示すように、マイク１４、スピーカ１６、及びアンテナ１７を接続可能な送受信機本体１０を備えている。送受信機本体１０には、無線通信で音声をやり取りするための送信部２０及び受信部２１と、デジタルデータを符号化してやり取りするためのデータ送受信部３５と、が内蔵されている。
【００２４】
図１に示すように、前記マイク１４は、送信と受信とを切り替えるための切替スイッチ１５を備えている。この切替スイッチ１５は、押されることで送信側に切り替わるという意味のＰｕｓｈ  Ｔｏ  Ｔａｌｋの頭文字をとって、ＰＴＴスイッチと呼ばれることがある。
【００２５】
切替スイッチ１５は、図２に示す送受信切替部２３に電気的に接続されている。前記アンテナ１７としては適宜のものを用いることができ、例えば公知のホイップアンテナとすることができる。
【００２６】
図１に示すように、当該送受信機本体１０の正面側には平面状のパネルが備えられている。そして、このパネルには表示部１１と操作部１２とが配置されている。
【００２７】
前記表示部１１は例えば液晶ディスプレイとして構成されており、ＤＳＢ送受信機１の稼動状況等に関する情報を確認のために表示できるようになっている。この情報としては様々であるが、例えば、現時点で通信に使用しているチャンネル番号、電波の受信レベル、現在時刻等である。また、表示部１１は送受信機本体１０に関する各種設定項目や各種操作項目等を階層式メニューで表示可能に構成されており、後述の回転ダイアル１２ｂ等によって当該メニューに関する操作を行うことができる。
【００２８】
操作部１２は、操作ボタンとしての複数のプッシュボタン１２ａと、操作ダイアルとしての回転ダイアル１２ｂと、を備えている。ユーザは、所望の位置のプッシュボタン１２ａを操作することによって、受信部２１の感度の切替え、チャンネルのスキャン受信、及び緊急信号の送信等の各種の指示をＤＳＢ送受信機１に与えることができる。また、ユーザは、前記回転ダイアル１２ｂを回転させることで、通信周波数（チャンネル番号）の変更や、数値の調整、メニュー項目の移動等を行うことができる。また、回転ダイアル１２ｂは押込操作を行うことも可能に構成されており、これにより、メニュー項目や数値の決定等を指示することができる。
【００２９】
送信部２０は、マイク１４から入力される音声信号に基づいて高周波信号を変調させ、増幅してアンテナ１７に出力することにより、所定のチャンネル（周波数）で音声信号を送り出すことができる。受信部２１は、アンテナ１７から入力される信号に対して、増幅、復調等の処理を行い、所定のチャンネル（周波数）で送信された音声信号を取り出してスピーカ１６に出力することができる。以上により、いわゆるＡ３Ｅ形式の電波による音声信号のやり取りが実現されている。
【００３０】
データ送受信部３５は、テキスト、画像等を符号化して得られたデジタルデータに基づく符号パルスで搬送波を変調させ、増幅してアンテナ１７に出力することにより、データパケットを送信することができる。また、データ送受信部３５は、アンテナ１７から入力される信号に対して適宜の処理を行うことにより、デジタルデータを取得することができる。以上により、いわゆるＡ２Ｄ形式の電波によるデジタルデータのやり取りが実現されている。このデータ通信により、例えば位置、水温、水深、潮流等のデータを仲間船の間でやり取りし、周囲海域の状況を把握するのに有用な情報を得ることができる。
【００３１】
データ送受信部３５には、漁船を一意に識別することが可能な船識別情報と、船団を一意に識別することが可能なグループ識別情報と、が登録されている。そしてデータ送受信部３５は、指定した船にのみ送信するユニキャスト通信と、同じ船団に所属する船にのみ一斉に送信するマルチキャスト通信と、周囲の全ての船に一斉に送信するブロードキャスト通信と、の３つの通信方式でデータをやり取りすることができる。データ送受信部３５は、目的と状況に応じて上記の３つの通信方式を使い分けながら、他の無線機器（ＤＳＢ送受信機１）と通信する。ユニキャスト通信においては宛先として前記船識別情報が用いられ、マルチキャスト通信には宛先として前記グループ識別情報が用いられる。
【００３２】
図２に示すように、ＤＳＢ送受信機１は、時分割方式による秘話処理を行うための秘話音声処理部（変調信号処理部）３１を備えている。この秘話音声処理部３１は、元の音声信号を複数（本実施形態では８つ）に時分割し、この分割された信号断片の時間的順序を適宜の並び順に従って並べ替えることで、秘話化された音声信号を生成することができる。
【００３３】
前記秘話音声処理部３１は、図示しない並び順記憶部（例えば、読出専用のメモリ）を備えている。この並び順記憶部には、前記信号断片を並べ替える並び順と、それを指定する秘話番号（変調番号、並び順指定番号）との組が、多数記憶されている。本実施形態では、１００００通りの並び順が、当該並び順に対応して付された数字４桁の秘話番号（００００〜９９９９）とともに、並び順記憶部に記憶される。ユーザは、この秘話番号を秘話音声処理部３１に設定することで、秘話化するときに信号断片を並べ替える順番を、並び順記憶部に予め記憶されている範囲内で指定することができる。
【００３４】
このように秘話化された音声信号（秘話音声信号）が無線送信された場合、受信側としては、その信号から単純に音声信号を取り出しただけではその通話内容等を理解することはできない。しかしながら、受信した秘話音声信号は、前記秘話音声処理部３１によって複数に時分割し、その信号断片を（秘話化の際に並べ替えられたのを元に戻すように）並べ替えることで、元の音声信号を復元することができる。
【００３５】
前記並び順記憶部の記憶内容は、同一の仕様である限り、何れのＤＳＢ送受信機１においても同一とされている。従って、特定のグループに属する２台以上のＤＳＢ送受信機１において、秘話音声処理部３１に同一の秘話番号を指定することによって、当該グループ内限りの秘密の通話を実現することができる。
【００３６】
制御部１９は、演算部及び処理部としてのＣＰＵと、記憶部としてのＲＡＭ及びＲＯＭと、を備えている。前記ＲＯＭ等には、制御部１９が各部を制御するための手順が記述された制御プログラムが記憶されている。制御部１９は、上記のハードウェアとソフトウェアとの協働により、送信部２０、受信部２１、秘話音声処理部３１及び表示部１１等の制御を行うように構成されている。
【００３７】
そして、本実施形態のＤＳＢ送受信機１は、前述した１００００通りの秘話番号からユーザが予め選択した秘話番号を記憶できるとともに、当該秘話番号に適宜の名称を付与して管理できるように構成されている。具体的には図２に示すように、ＤＳＢ送受信機１は、書込可能なメモリ等からなる秘話番号名称記憶部３２を備えている。そして、当該秘話番号名称記憶部３２には、秘話番号と、それに付与される名称と、の対応関係を複数組記憶しておくことが可能に構成されている。
【００３８】
図３には、秘話番号名称記憶部３２の記憶内容が概念的に示されている。この図３に示すように、秘話番号名称記憶部３２には、特定の秘話番号と、それを指し示すニックネーム（名称）が、関連づけられてテーブル形式で記憶されている。図３の例では、「１９２４」という秘話番号には「川」というニックネームが付けられ、「８８１６」という秘話番号には「海」というニックネームが付けられている。
【００３９】
本実施形態のＤＳＢ送受信機１では、上記のような秘話番号とニックネームの対応関係を例えば数十組程度（本実施形態では、２０組）記憶することができる。なお、図３に示すように、秘話番号とニックネームの組には、データの管理のために付与される２桁の通し番号（管理番号）がそれぞれ付与されている。
【００４０】
そして、ユーザは操作部１２を適宜操作することで、秘話番号名称記憶部３２に記憶されている内容の修正（具体的にいえば、秘話番号の登録と、それに対応するニックネームの登録、変更、削除）を行うことができる。この操作は、いわゆるグラフィカルユーザインタフェース（ＧＵＩ）を表示部１１に表示させ、現在登録されている秘話番号及びニックネーム等を確認しながら行うことができるようになっている。以下、頻繁に使用することが想定される１件の秘話番号を、ＤＳＢ送受信機１にニックネーム付きで新規登録する場合を例に説明する。
【００４１】
秘話番号を登録したい場合、ユーザは操作部１２を適宜操作することで表示部１１にシステム設定画面を表示させ、図略のメニュー一覧から「秘話番号リスト編集」メニューを選択する。すると、制御部１９は前記秘話番号名称記憶部３２の記憶内容を参照した上で、図４に示すように、管理番号が０１番から２０番までの２０行の秘話番号リストが配置されたウインドウ（秘話番号リストウインドウ１０１）を表示部１１に表示する。
【００４２】
上記秘話番号リストの１行目には、ユーザの選択位置を示すカーソル１０２が表示されている。ユーザは、前記回転ダイアル１２ｂを回転させることで、カーソル１０２を上下方向に移動させ、秘話番号リストの所望の行を選択することができる。なお、図４の秘話番号リストウインドウ１０１には７行分のリストしか表示されていないが、カーソル１０２を最下行から更に下へ移動させるように操作することで、リストをスクロールさせて残りの行を表示させることができる。
【００４３】
この秘話番号リストでは、秘話番号が登録されている行においては当該秘話番号が表示される一方、秘話番号が登録されていない場合には、未登録を表すハイフンが表示されるようになっている。ユーザは、まず回転ダイアル１２ｂを回転させ、秘話番号が登録されていない行（図４では、管理番号が０６番の行）までカーソル１０２を移動させる。次に、回転ダイアル１２ｂを押し込むように操作した上で、図５のように表示されるサブメニュー１０３から「秘話番号登録／編集」を回転ダイアル１２ｂにより選択する。すると、秘話番号の４桁の数値を指定するためのウインドウ（秘話番号設定ウインドウ１０４）が現れる。
【００４４】
秘話番号設定ウインドウ１０４において、ユーザは、回転ダイアル１２ｂの回転操作及び押込操作により、４桁のそれぞれについて数値を指定する。図５では、秘話番号「６２６２」が指定された例が示されている。
【００４５】
秘話番号の指定が完了すると、制御部１９は秘話番号名称記憶部３２の記憶内容（図３）において、管理番号が０６番のレコードにおける秘話番号フィールドに、指定された秘話番号「６２６２」を書き込む。この記憶内容の更新に伴って、秘話番号リストウインドウ１０１の表示も更新される。
【００４６】
次にユーザは、図６に示すように、管理番号が０６番の行にカーソル１０２が移動している状態で回転ダイアル１２ｂを押し込むように操作し、改めて表示されるサブメニュー１０３から「ニックネーム登録／編集」を選択する。すると、ニックネーム選択のためのウインドウ（ニックネーム指定ウインドウ１０５）が表示される。
【００４７】
このニックネーム指定ウインドウ１０５には、予めＤＳＢ送受信機１に設定されている数十個程度のニックネーム候補が一覧形式で表示されている。本実施形態では、川、海、山、空、森、風、雲、林、・・・というように、漢字１文字の簡単な単語が適宜ピックアップされ、ニックネーム候補として採用されている。これらのニックネーム候補の選定にあたっては、仲間船同士で秘話番号のニックネームを音声によってやり取りする可能性を考慮し、容易に明りょうに発音できることが条件の１つになっている。
【００４８】
ユーザは、前記回転ダイアル１２ｂを操作してカーソル１０６を移動させ、候補一覧の中から１つを選択することで、先ほど指定した秘話番号「６２６２」に対応するニックネームを指定することができる。図６では、ニックネームとして「林」が指定された例が示されている。
【００４９】
ニックネームの指定が完了すると、制御部１９は秘話番号名称記憶部３２の記憶内容（図３）のうち、管理番号が０６番のレコードにおけるニックネームフィールドに、指定されたニックネーム「林」を書き込む。この記憶内容の更新に伴って、秘話番号リストウインドウ１０１の表示も図７のように更新される。
【００５０】
ユーザは、表示が更新された秘話番号リストウインドウ１０１を見て、秘話番号及びニックネームが指定どおり登録されていることを確認した後、適宜の操作によって「秘話番号リスト編集」の機能を終了する。以上により、新しい秘話番号とニックネームを秘話番号名称記憶部３２に記憶させることができる。なお、上記の新規登録操作を繰り返すことにより、複数の秘話番号とニックネームの対応関係を秘話番号名称記憶部３２に記憶させることができるのは勿論である。
【００５１】
そして、上記のように登録された秘話番号は、秘話通信を開始したいときに、簡単に読み出して秘話音声処理部３１に設定することができる。具体的には、ユーザは、操作部１２を適宜操作することによって図略の「無線機設定」メニューを表示部１１に表示させ、そのメニュー項目の中から「秘話」メニューを選択する。すると、制御部１９は秘話番号名称記憶部３２の内容を参照して、登録されたニックネームのリストを作成し、図８に示すように適宜のウインドウ（ニックネーム選択ウインドウ１１１）に表示させる。
【００５２】
このとき、表示部１１（ニックネーム選択ウインドウ１１１）にはニックネームが表示されるだけであり、それに対応する秘話番号は表示されない。これによって、秘話番号が不用意に外部の目に触れることを防止でき、高いセキュリティを実現できる。
【００５３】
ニックネーム選択ウインドウ１１１が表示された状態で、ユーザは回転ダイアル１２ｂを回転操作し、カーソル１１２を希望するニックネームに移動させる。そして回転ダイアル１２ｂを押し込むと、制御部１９は、秘話番号名称記憶部３２を参照することで、指定されたニックネームに対応する秘話番号を取得する。そして、得られた秘話番号を秘話音声処理部３１に設定した上で当該秘話音声処理部３１を動作させ、秘話通信に移行させる。
【００５４】
次に、本実施形態のＤＳＢ送受信機１における秘話番号のニックネームの活用例を説明する。即ち、船団を構成する各漁船の船員らは、出港前に集まって、秘話番号とニックネームの対応関係を複数組定めて秘密に申し合わせておき、それぞれの船舶のＤＳＢ送受信機１に正確に入力しておく。
【００５５】
なお、初めにニックネームと秘話番号を登録する際、１台のＤＳＢ送受信機１にニックネームと秘話番号のリストを全て入力した上で、当該リストをＤＳＢ送受信機１からマルチキャスト通信で送信することによって残りのＤＳＢ送受信機１に自動で登録させることもできる。この場合、登録の手間を軽減することができる。なお、マルチキャスト通信で送信する代わりに、自船と同一の船団に所属する漁船（仲間船）のＤＳＢ送受信機１に係る船識別情報のリストを予め登録しておき、この船識別情報のリストに基づいて１台ずつユニキャスト通信で送信しても良い。この場合は、ユニキャスト通信の宛先として指定されていないＤＳＢ送受信機１はデータを受信できないので、ニックネームと秘話番号のリストデータが漏洩する可能性を減らすことができる。
【００５６】
そして、船団が操業を開始して間もなく、秘話通信が必要な状況が生じたとする。すると、漁労長は、「これから『林』で通信するぞ」というように、申し合せの中から選んだ適当なニックネームを仲間船にＤＳＢ送受信機１を用いて連絡するとともに、自船のＤＳＢ送受信機１に当該ニックネーム「林」を設定して秘話通信を開始する。また、上記連絡を受信した仲間船においても、それぞれがＤＳＢ送受信機１を操作し、指定されたニックネーム「林」を設定して秘話通信を開始する。
【００５７】
これにより、船団間では、ニックネーム「林」に対応した秘話番号で秘話通信を行うことができる。なお、船団外の漁船は、上記の漁労長の連絡を傍受したとしても、「林」というニックネームにどの秘話番号が対応するかが判らないので、その後の秘話通信の内容を傍受することができない。
【００５８】
また、上記のように「林」で秘話通信を行っているときに、第三者の傍受の疑いがある等の事情により、秘話番号を変える必要が生じたとする。この場合、漁労長は、例えば「これから『空』に変えるぞ」と、仲間船にＤＳＢ送受信機１を用いて連絡する。そして、漁労長の船、及び上記連絡を受信した仲間船は、今度はニックネーム「空」をＤＳＢ送受信機１にセットして再び秘話通信を開始する。船団外の漁船は、ニックネーム「林」に対応する秘話番号を何らかの方法で解読でき、秘話通信を傍受できていたとしても、変更後のニックネーム「空」に対応する秘話番号が判らないので、その後の秘話通信の内容を傍受することができない。
【００５９】
このように、秘話番号そのものを漁船間で連絡することなく、ニックネームを連絡するだけで、仲間船間の秘話通信に用いる秘話番号を適宜変更することができる。従って、秘話による通話内容を強力に保護することができ、高いセキュリティを実現することができる。
【００６０】
なお、音声でニックネームをやり取りする構成に加えて、ニックネームを表すテキストデータを、データ送受信部３５によりデータパケットの形でやり取りするように変更することもできる。この場合、前記制御部１９は、データ送受信部３５がニックネームを受信したことを検知すると、前述のニックネームの手動変更時と同様に、当該ニックネームに対応する秘話番号を秘話番号名称記憶部３２によって取得し、秘話音声処理部３１に設定する。
【００６１】
これにより、秘話番号の変更の手間を一層低減することができる。そして、上記デジタル通信によるニックネームのやり取りは、前述のマルチキャスト通信（グループ一斉送信）を用いて行うことが好ましい。これにより、同じ船団に属する漁船にのみニックネームを合理的に送信することができる。
【００６２】
なお、マルチキャスト通信の場合は、船団外の漁船であっても例えば前記グループ識別情報が偶然に一致している場合は、グループ一斉送信される上記ニックネームのテキストデータを受信できることになる。しかしながら、船団外の漁船は当該ニックネームに対応する秘話番号が判らないため、その後の秘話通信の内容を確実に保護することができる。ただし、マルチキャスト通信に限定されず、例えば仲間船のＤＳＢ送受信機１に係る船識別情報のリストを予め登録しておき、このリストに従ってユニキャスト通信を各船と順次行うことによりニックネームを送信しても良い。
【００６３】
また、ある船（例えば、漁労長の漁船）のＤＳＢ送受信機１において、所定の秘話番号変更条件が満たされると、現在のニックネームとは異なるニックネームを選択し、新しいニックネームを自動的に送信するように構成しても良い。前記秘話番号変更条件としては、生成された乱数値が所定の条件を満たした場合、所定の時間が経過した場合等、様々な条件とすることが考えられる。新しいニックネームは、例えばフィボナッチ数列等を用いて作成した所定の規則に基づいて、又は乱数値に基づいて選択することができる。
【００６４】
以上の構成とすれば、秘話番号が自動的に随時変更されることになるため、セキュリティの向上は顕著である。また、前述の条件判断やニックネームの選択に乱数を使用する場合、そのシード値として、船舶に個別に付与される船舶識別番号、又はいわゆる識別番号自動送出装置（ＡＴＩＳ）のＡＴＩＳ番号を用いると、乱数の予測可能性を低減でき、セキュリティ上一層良好である。
【００６５】
また、上記の構成では、前述のニックネーム指定ウインドウ１０５（図６）で選択されるニックネーム候補は予めＤＳＢ送受信機１に設定されたものであって、変更することはできない。しかしながらこれに代えて、データ送受信部３５を介してやり取りされる種々のテキストデータから適当なテキスト（文字又は文字列）を自動的に取り出してニックネーム候補とし、この中からニックネームを指定可能に構成することもできる。このニックネーム候補を生成するためのテキストデータとしては、例えば海岸局から船舶局に送信されるテキストデータを利用することが考えられる。以上の構成によれば、多種多様なニックネーム候補を生成できることが期待される。この構成においては、ニックネーム候補が追加又は変更された場合は、そのニックネーム候補についても仲間船に例えばマルチキャスト通信によって送信することが好ましい。
【００６６】
以上に示したように、本実施形態のＤＳＢ送受信機１は、送信部２０と、受信部２１と、秘話音声処理部３１と、秘話番号名称記憶部３２と、操作部１２と、制御部１９と、を備える。送信部２０は、音声信号を無線により他の無線機器へ送信することができ、受信部２１は、他の無線機器から無線により音声信号を受信することができる。秘話音声処理部３１は、音声信号を送信部２０で送信する前に、設定された秘話番号に基づいて音声信号を処理することで秘話音声信号を作成する。また、秘話音声処理部３１は、受信部２１が受信した秘話音声信号を、設定された秘話番号に基づいて処理することで元の音声信号に復元する。秘話番号名称記憶部３２は、秘話番号と、当該秘話番号に対応して付与されるニックネームと、を関連づけて複数組記憶可能である。操作部１２は、ニックネームを指定する操作が可能である。制御部１９は、操作部１２の操作によってニックネームが指定されると、秘話番号名称記憶部３２を参照することによって当該ニックネームに対応する秘話番号を取得し、得られた秘話番号を秘話音声処理部３１に設定する。
【００６７】
これにより、秘話番号そのものを仲間船の間で連絡することなく、ニックネームのみのやり取りで、仲間船間の秘話通信に用いる秘話番号を容易に変更することができる。また、ＤＳＢ送受信機１において秘話番号にニックネームを関連づけていったん記憶させれば、その後は秘話番号を直接設定することなく、ニックネームを指示するだけで対応する秘話番号を内部的に設定することができる。従って、秘話番号の管理及び入力の手間を軽減できるとともに、秘話番号そのものが外部の目に触れる機会を少なくでき、高度なセキュリティを実現することができる。
【００６８】
また、本実施形態のＤＳＢ送受信機１は、各種の情報を表示可能な表示部１１を備える。そして、表示部１１は、操作部１２によってニックネームが指定されるときに、図８に示すように、当該ニックネームに対応する秘話番号が表示されないように構成されている。
【００６９】
これにより、ニックネームを指定するときに秘話番号が外部の目に触れないので、一層高度なセキュリティを実現することができる。
【００７０】
また、本実施形態においては、データ送受信部３５がデータ通信によりニックネームを受信するように構成することもできる。この場合、制御部１９は、秘話番号名称記憶部３２を参照することによって当該ニックネームに対応する秘話番号を取得し、得られた秘話番号を秘話音声処理部３１に自動設定する。
【００７１】
これにより、ニックネームを手動で設定する必要がなくなるので、秘話番号の変更の手間を更に著しく低減することができる。
【００７２】
また、上記のようにデータ送受信部３５のニックネーム受信によって秘話音声処理部３１を自動設定する構成の場合、以下のように構成することもできる。即ち、ニックネーム送信側のＤＳＢ送受信機１が備えるデータ送受信部３５は、同一のグループ識別情報を有するＤＳＢ音声通信機の全てに宛ててデジタルデータを一斉に送信するマルチキャスト通信を使用して、前記ニックネームを送信する。
【００７３】
これにより、同じ船団に属する仲間船にのみニックネームを合理的に送信することができる。
【００７４】
また、上記のようにデジタル通信でニックネームをやり取りする構成では、所定の条件が満たされることにより、現在設定されているニックネームとは異なるニックネームを選択して他のＤＳＢ送受信機１に自動的に送信するように構成することができる。
【００７５】
これにより、秘話番号が自動的に随時変更されることになるため、セキュリティの著しい向上を実現できる。
【００７６】
また、上記のようにデジタル通信でニックネームをやり取りする場合、以下のように構成することもできる。即ち、ＤＳＢ送受信機１は、データ送受信部３５によって他の無線機器とやり取りされたテキストデータから一部のテキストを取り出し、このテキストを、秘話番号に付与されるニックネームの候補として表示部１１に表示する。そして、ＤＳＢ送受信機１は、このニックネームの候補の中から選択されたニックネームを秘話番号名称記憶部３２に記憶する。
【００７７】
これにより、多様なニックネーム候補を生成することができる。また、例えば船舶間のやり取り等に用いるテキストデータからテキストを取り出すので、極めて難解な漢字等がニックネーム候補として取り出される確率が低くなり、使い易いニックネーム候補を得ることができる。
【００７８】
以上に本発明の好適な実施形態を説明したが、上記の構成は例えば以下のように変更することができる。
【００７９】
上記実施形態において、秘話番号は数字４桁の番号とされているが、この形式に限定されない。例えば、２桁、３桁又は５桁以上の数字を用いたり、１６進数やアルファベットを用いたりしても良い。
【００８０】
ニックネーム（名称）は、日本語による漢字１文字の単語に限定されない。例えば２文字以上の漢字を用いたり、カタカナや英単語、英数字、記号を用いたりしてニックネームを生成しても良い。
【００８１】
上記の実施形態のＤＳＢ送受信機１から送信部２０又は受信部２１を省略し、ＤＳＢ受信機及びＤＳＢ送信機として構成することもできる。
【００８２】
操作部１２は、プッシュボタン１２ａや回転ダイアル１２ｂを有するものに限定されない。例えば、表示部１１と一体化したタッチパネル式の操作部として構成することもできる。
【００８３】
上記実施形態の構成は、ＤＳＢを用いた音声通信機に限定されず、例えば単側波帯（Ｓｉｎｇｌｅ  Ｓｉｄｅ  Ｂａｎｄ、ＳＳＢ）を用いる構成等、各種の音声通信機に適用することができる。
【図面の簡単な説明】
【００８４】
【図１】本発明の一実施形態に係るＤＳＢ送受信機の全体的な構成を示した斜視図。
【図２】ＤＳＢ送受信機の機能ブロック図。
【図３】秘話番号名称記憶部に記憶される内容を概念的に示す図。
【図４】秘話番号及びニックネームについてのリストを編集する様子を示す図。
【図５】新しく秘話番号を登録する様子を示す図。
【図６】新しく登録された秘話番号について、ニックネームを登録する様子を示す図。
【図７】秘話番号とニックネームの登録が完了した状態を示す図。
【図８】秘話番号の変更のためにニックネームを指定する様子を示す図。
【符号の説明】
【００８５】
１  ＤＳＢ送受信機（音声通信機、音声受信機、音声送信機）
１１  表示部
１２  操作部
１９  制御部
２０  送信部
２１  受信部
３１  秘話音声処理部
３２  秘話番号名称記憶部
３５  データ送受信部
【図１】
2010141796.tif 000003
【図２】
2010141796.tif 000004
【図３】
2010141796.tif 000005
【図４】
2010141796.tif 000006
【図５】
2010141796.tif 000007
【図６】
2010141796.tif 000008
【図７】
2010141796.tif 000009
【図８】
2010141796.tif 000010